(57)【要約】【課題】筐体の内部圧力の上昇にともなう、キーシート等の変形を防ぐ。【解決手段】本発明の携帯電話機１０においては、ユーザに情報を表示するための表示部２０を備える表示筐体１１の内部空間と、ユーザからの情報を受け付ける操作部２６を有する操作筐体１４の内部空間とは、チューブ７２を介して通じている。そして、チューブ７２は、操作部２６のキーシート８０よりも膨張しやすい弾性素材からなる。このため、表示筐体１１及び操作筐体１４の内部の圧力が高くなった場合に生じるキーシート８０の変形を防ぐことができる。【選択図】図２
2011188135.tif 000002
【特許請求の範囲】
【請求項１】
ユーザからの情報を受け付ける操作部を有する操作筐体と、
前記操作筐体の内部空間に通じる空間を有する膨張部材と、
を有する携帯通信端末。
【請求項２】
前記ユーザに情報を表示するための表示部を有する表示筐体を更に備え、
前記操作筐体の内部空間と、前記表示筐体の内部空間とは、前記膨張部材を介して通じている請求項１に記載の携帯通信端末。
【請求項３】
前記膨張部材は、弾性素材からなるチューブである請求項１又は２に記載の携帯通信端末。
【請求項４】
前記チューブには、前記操作筐体の内部空間に配置される電子ユニットと、前記表示筐体の内部空間に配置される電子ユニットとを接続する同軸ケーブルが配線される請求項３に記載の携帯通信端末。
【請求項５】
前記チューブには、前記操作筐体の内部空間に配置される電子ユニットと、前記表示筐体の内部空間に配置される電子ユニットとを接続するフレキシブル配線基板が配線される請求項３に記載の携帯通信端末。
【発明の詳細な説明】
【技術分野】
【０００１】
本発明は、携帯通信端末に関し、更に詳しくは、防水機能を備える携帯通信端末に関する。
【背景技術】
【０００２】
防水機能を有する携帯電話機は、携帯電話機の構成部品間の間隙が、ゴムパッキンなどによって塞がれた構造となっている（例えば、特許文献１及び２参照）。
【先行技術文献】
【特許文献】
【０００３】
【特許文献１】特開２００７−３１２２５５号公報
【特許文献２】特開２００８−１３５２４８号公報
【発明の概要】
【発明が解決しようとする課題】
【０００４】
上記特許文献に記載の携帯電話機は、水密性が高いだけではなく、気密性も高い。このため、ユーザによって、携帯電話機に電池カバーが取り付けられると、電池カバーの内側の空気が筐体内に押し込まれ、筐体の内部の圧力が一時的に上昇する。そうすると、キーシートが膨らんでしまう。
【０００５】
この対策として、キーシートを厚くして、その剛性を上げることが考えられる。しかし、この場合、キーシートが厚くなるので、携帯電話機の薄型化が妨げられる可能性ある。
【０００６】
また、キーシートをメタルドームシートに貼り付けることによって、キーシートの膨張を防ぐことが、考えられる。しかし、この場合、キーの押し感が悪化する可能性がある。
【０００７】
本発明は、上述の事情の下になされたもので、筐体の内部の圧力が高くなった場合に生じる、キーシート等の変形を防ぐことを目的とする。
【課題を解決するための手段】
【０００８】
上述の目的を達成するために、本発明に係る携帯通信端末は、
ユーザからの情報を受け付ける操作部を有する操作筐体と、
前記操作筐体の内部空間に通じる空間を有する膨張部材と、
を有することを特徴とする。
【発明の効果】
【０００９】
本発明によれば、筐体の内部の圧力が高くなった場合に生じるキーシート等の変形を防ぐことができる。
【図面の簡単な説明】
【００１０】
【図１】本発明の実施形態に係る携帯電話機を示す斜視図である。
【図２】携帯電話機の分解斜視図である。
【図３】（Ａ）は、操作筐体の断面図であり、（Ｂ）は、（Ａ）の分解断面図である。
【図４】ヒンジユニットの断面図である。
【図５】チューブの斜視図である。
【図６】（Ａ）は、携帯電話機にカバーを取り付ける前の操作筐体の断面図であり、（Ｂ）は、携帯電話機にカバーを取り付けた後の操作筐体の断面図である。
【図７】（Ａ）は、携帯電話機にカバーを取り付ける前のチューブの断面図であり、（Ｂ）は、携帯電話機にカバーを取り付けた後のチューブの断面図である。
【発明を実施するための形態】
【００１１】
以下、本発明の実施形態について図面を参照しながら説明する。
【００１２】
図１は、本発明の実施形態に係る携帯電話機１０の斜視図である。図１に示すように、携帯電話機１０は、表示筐体１１と、操作筐体１４と、ヒンジユニット１７とを有している。操作筐体１４は、ヒンジユニット１７を介して、表示筐体１１と回動可能に接続されている。表示筐体１１には、表示部２０と、スピーカ２４とが配設されている。そして、操作筐体１４には、マイク２２と、操作部２６とが配設されている。
【００１３】
本実施形態に係る携帯電話機１０は、通常の携帯電話機と同様に、音声通話機能、電子メールの送信及び受信機能、インターネットへの接続機能、ＴＶ放送受信・再生やゲームなどの各種アプリケーション機能を有している。
【００１４】
表示部２０は、画像、図形、文字、記号などの情報を表示する。表示部２０は、例えば、液晶パネルである。操作部２６は、テンキー、方向キー／決定キー、及びファンクションキー等を備える。ユーザによる情報の入力は、操作部２６を通じて行われる。
【００１５】
図２は、携帯電話機１０の分解斜視図である。図２に示すように、表示筐体１１は、筐体本体１２と筐体蓋部１３とを有している。そして、表示筐体１１の内部には、基板４０が収納されている。また、操作筐体１４は、筐体本体１５と筐体蓋部１６とを有している。そして、操作筐体１４の内部には、基板４１及び電池６０が収納されている。
【００１６】
筐体蓋部１３は、パッキン４２を介して、筐体本体１２に取り付けられている。同様に、筐体蓋部１６は、パッキン４３を介して、筐体本体１５に取り付けられている。
【００１７】
表示筐体１１の筐体蓋部１３には、ヒンジ筒１３ａが形成されている。また操作筐体１４の筐体蓋部１６には、一対のヒンジ筒１６ａが形成されている。ヒンジ筒１３ａとヒンジ筒１６ａとには、ヒンジ軸５０とヒンジ軸５１とが挿通されている。ヒンジユニット１７は、ヒンジ筒１３ａ，１６ａと、ヒンジ軸５０，５１とから構成される。
【００１８】
ヒンジ軸５０は、図示しないトルク発生機構を有している。これにより、ヒンジユニット１７は、表示筐体１１と操作筐体１４との間の角度を、所定の角度に保持することができる。また、ヒンジ軸５１は、断面形状がアルファベットのＣ形の有底円筒形状である。また、ヒンジユニット１７の内部には、後述する同軸ケーブル７０が挿通されている。
【００１９】
基板４０及び基板４１は、例えばエポキシ樹脂からなる。エポキシ樹脂は、樹脂含浸処理により、ガラス繊維（例えばガラス布又はガラス不織布）やアラミド繊維（例えばアラミド不織布）等の補強材を含んでいることが好ましい。この基板４０及び基板４１の表面には、複数の電子部品が実装されている。基板４０と基板４１とは、同軸ケーブル７０によって、電気的に接続されている。また基板４１には、コネクタ４１ａが実装されている。コネクタ４１ａは、外部機器との接続に用いられる。
【００２０】
操作筐体１４の筐体本体１５には、通気孔１５ａ及び開口１５ｂが形成されている。通気孔１５ａには、通気膜５４が取り付けられる。通気膜５４は、防水性のある素材からなる。通気膜５４の素材としては、例えば、フッ素樹脂多孔体、ポリオレフィン多孔体を用いることができる。
【００２１】
操作筐体１４の筐体蓋部１６には、開口１６ｂが形成されている。基板４１は、開口１６ｂからコネクタ４１ａが露出した状態で、操作筐体１４の内部に配置されている。開口１６ｂには、パッキン５３を介して、キャップ５２が脱着可能に取り付けられる。
【００２２】
電池６０は、基板４０及び基板４１に実装された電子部品等に電力を供給する。電池６０は、筐体本体１５の開口１５ｂから、操作筐体１４の内部に収納されている。そして、電池６０は、基板４１に形成された開口４１ｂに挿入された状態で、配置される。開口１５ｂには、パッキン６１を介して、カバー６２が脱着可能に取り付けられる
【００２３】
図３（Ａ）は、携帯電話機１０の操作筐体１４の断面図であり、図３（Ｂ）は、図３（Ａ）の分解断面図である。図３（Ａ）及び図３（Ｂ）に示すように、操作部２６は、キーシート８０とメタルドームシート８１とを有する。
【００２４】
キーシート８０は、防水性の両面テープ８２によって、操作筐体１４の筐体蓋部１６に貼り付けられている。キーシート８０は、例えば、積層されたＰＥＴ（Polyethylene Terephthalate）フィルムとラバーシートとを有している。そして、キーシート８０は、操作部２６のテンキー、方向キー／決定キー、及びファンクションキーの位置に対応して、キートップ８０ａを有している。
【００２５】
メタルドームシート８１は、キーシート８０の下方に配置されている。メタルドームシート８１は、操作部２６のテンキー、方向キー／決定キー、及びファンクションキーの位置に対応して配置されたメタルドーム８１ａと、スイッチが実装された基板と、を有している。このスイッチの接点は、操作部２６のテンキー、方向キー／決定キー、及びファンクションキーが押下された場合にクローズする。メタルドームシート８１の基板は、フレキシブル配線基板（図示なし）を介して、基板４１に電気的に接続されている。
【００２６】
図４は、ヒンジユニット１７の断面図である。図４に示すように、同軸ケーブル７０は、ヒンジユニット１７の内部を通って、基板４０，４１に接続されている。
【００２７】
図５は、同軸ケーブル７０の斜視図である。同軸ケーブル７０は、その両端にコネクタ７５とコネクタ７６とを有している。そして、同軸ケーブル７０は、防水性のチューブ７２により覆われている。
【００２８】
チューブ７２は、弾性を有する素材からなる。そして、チューブ７２は、表示筐体１１及び操作筐体１４の内部の圧力が高くなった場合に、キーシート８０よりも変形しやすい素材からなる。チューブ７２の素材としては、例えば、シリコン樹脂等を用いることができる。チューブ７２は、その両端にパッキン７３とパッキン７４とを有している。
【００２９】
図４に戻り、コネクタ７５は、基板４０に接続され、コネクタ７６は、基板４１に接続されている。そして、パッキン７３は、表示筐体１１の筐体蓋部１３に形成された孔１３ｂと嵌合し、パッキン７４は、操作筐体１４の筐体蓋部１６に形成された孔１６ｃと嵌合している。
【００３０】
図２を参照するとわかるように、表示筐体１１及び操作筐体１４は、上述したパッキン４２，４３，５３，６１，７３，７４と通気膜５４とによって、水密に保たれる。また、通気膜５４によって、表示筐体１１及び操作筐体１４の通気性が保たれる。
【００３１】
図６（Ａ）は、携帯電話機１０にカバー６２を取り付ける前の操作筐体１４の断面図であり、図６（Ｂ）は、携帯電話機１０にカバー６２を取り付けた後の操作筐体１４の断面図である。また、図７（Ａ）は、携帯電話機１０にカバー６２を取り付ける前のチューブ７２の断面図であり、図７（Ｂ）は、携帯電話機１０にカバー６２を取り付けた後のチューブ７２の断面図である。
【００３２】
図６（Ａ）に示すように、ユーザが、携帯電話機１０にカバー６２を取り付ける前においては、表示筐体１１及び操作筐体１４の内部の圧力は、大気圧と同等である。したがって、チューブ７２は、図７（Ａ）に示すように、非膨張状態に保たれている。
【００３３】
そして、ユーザが、携帯電話機１０にカバー６２を取り付けると、まず図６（Ａ）に示すように、先ずパッキン６１が開口１５ｂに当接して、カバー６２の内側に空気Ａが閉じ込められる。そして、図６（Ｂ）に示すように、さらにユーザが、カバー６２を押し込むと、空気Ａは操作筐体１４の内部に押し込まれる。その結果、表示筐体１１及び操作筐体１４の内部の圧力が一時的に上昇する。
【００３４】
そうすると、図７（Ｂ）に示すように、キーシート８０よりも変形しやすい素材からなるチューブ７２は、膨張する。その後、表示筐体１１及び操作筐体１４の内部の空気が、徐々に図２に示す通気孔１５ａから外部に抜けていく。そして、膨張したチューブ７２は、弾性回復することによって、収縮していき、図７（Ａ）に示すように、再び元の形状に戻る。
【００３５】
同様に、図２に示すように、キャップ５２及びパッキン５３を、携帯電話機１０に取り付けた場合にも、表示筐体１１及び操作筐体１４の内部の圧力が一時的に上昇する。そうすると、図７（Ｂ）に示すように、チューブ７２は、膨張する。その後、表示筐体１１及び操作筐体１４の内部の空気が、徐々に通気孔１５ａから外部に抜けていく。そして、膨張したチューブ７２は、弾性回復することによって、収縮していき、図７（Ａ）に示すように、元の形状に戻る。
【００３６】
以上、説明したように、本実施形態に係る携帯電話機１０では、キーシート８０よりも膨張しやすいチューブ７２を介して、表示筐体１１の内部空間と操作筐体１４の内部空間とは通じている。このため、表示筐体１１及び操作筐体１４の内部の圧力が高くなった場合に生じるキーシート８０の変形を防ぐことができる。
【００３７】
また、本実施形態に係る携帯電話機１０では、キーシート８０の膨張を防ぐために、キーシート８０の剛性を上げる必要がない。このため、キーシート８０を薄型とすることができる。ひいては、携帯電話機１０を薄型化、小型化とすることができる。
【００３８】
また、本実施形態に係る携帯電話機１０では、キーシート８０の膨張を防ぐために、キーシート８０をメタルドームシート８１に貼り付ける必要がない。このため、キーシートをメタルドームシートに貼り付けた携帯電話機よりも、操作部２６の押し感が良好になる。
【００３９】
また本実施形態においては、基板４０と基板４１との接続に、同軸ケーブル７０を用いているが、これに限らず、フレキシブル配線基板を用いてもよい。
【００４０】
また本実施形態においては、表示筐体１１及び操作筐体１４の内部の圧力が高くなった場合、チューブ７２が膨張する。これに限らず、チューブ以外の弾性の部材を設け、この弾性の部材を、膨張させるようにしてもよい。
【００４１】
また本実施形態においては、同軸ケーブル７０の外周に設けられたチューブ７２は、同軸ケーブル７０を防水するとともに、表示筐体１１及び操作筐体１４の内部の圧力が高くなった場合には膨張する、二つの機能を有している。これに限らず、通常の防水チューブを同軸ケーブル７０の外周に設けるとともに、内部の圧力が高くなった場合に膨張するチューブを、別の箇所に設けてもよい。
【００４２】
また本実施形態においては、キーシート８０は、積層されたＰＥＴフィルムとラバーシートとを有している。これに限らず、キーシートは、ＰＥＴフィルムのみを有していてもよい。
【００４３】
本発明は、上記実施形態で説明した携帯電話機に限らず、ＰＤＡ（Personal Digital Assistant）、ＰＨＳ（Personal Handy-phone System）、携帯型ＰＣ（Mobile Personal Computer)などの携帯通信端末、及びその他の情報処理装置においても適用することができる。
【００４４】
また、本発明は、本発明の広義の精神と範囲を逸脱することなく、様々な実施形態及び変形が可能とされるものである。上述した実施形態は、本発明を説明するためのものであり、本発明の範囲を限定するものではない。
【００４５】
上記の実施形態の一部又は全部は、以下の付記のようにも記載されうるが、以下には限られない。
【００４６】
（付記１）ユーザからの情報を受け付ける操作部を有する操作筐体と、前記操作筐体の内部空間に通じる空間を有する膨張部材と、を有する携帯通信端末。
【００４７】
（付記２）前記ユーザに情報を表示するための表示部を有する表示筐体を更に備え、前記操作筐体の内部空間と、前記表示筐体の内部空間とは、前記膨張部材を介して通じている付記１に記載の携帯通信端末。
【００４８】
（付記３）前記膨張部材は、弾性素材からなるチューブである付記１又は２に記載の携帯通信端末。
【００４９】
（付記４）前記チューブには、前記操作筐体の内部空間に配置される電子ユニットと、前記表示筐体の内部空間に配置される電子ユニットとを接続する同軸ケーブルが配線される付記３に記載の携帯通信端末。
【００５０】
（付記５）前記チューブには、前記操作筐体の内部空間に配置される電子ユニットと、前記表示筐体の内部空間に配置される電子ユニットとを接続するフレキシブル配線基板が配線される付記３に記載の携帯通信端末。
【符号の説明】
【００５１】
１０  携帯電話機
１１  表示筐体
１２、１５  筐体本体
１３、１６  筐体蓋部
１３ａ、１６ａ  ヒンジ筒
１３ｂ、１６ｃ  孔
１４  操作筐体
１５ａ  通気孔
１５ｂ、１６ｂ、４１ｂ  開口
１７  ヒンジユニット
２０  表示部
２２  マイク
２４  スピーカ
２６  操作部
４０、４１  基板
４１ａ  コネクタ
４２、４３、５３、６１、７３、７４  パッキン
５０、５１  ヒンジ軸
５２  キャップ
５４  通気膜
６０  電池
６２  カバー
７０  同軸ケーブル
７２  チューブ（膨張部材）
７５、７６  コネクタ
８０  キーシート
８０ａ  キートップ
８１  メタルドームシート
８１ａ  メタルドーム
８２  両面テープ
【図１】
2011188135.tif 000003
【図２】
2011188135.tif 000004
【図３】
2011188135.tif 000005
【図４】
2011188135.tif 000006
【図５】
2011188135.tif 000007
【図６】
2011188135.tif 000008
【図７】
2011188135.tif 000009